(57)【要約】【課題】  熟練者でなくても型枠の角開き止めパイプの連結作業を迅速かつ簡単に行うことができ、型枠の角開きを効果的に防止することができる型枠の角開き止めパイプ連結金具、型枠固定構造および型枠固定方法を提供する。【解決手段】  型枠角開き止めパイプ連結金具１は、小面固定用パイプ２１を狭持する小面クランプ１１と、大面固定用パイプ２２を狭持する大面クランプ１２とが基板１３を介して略同一平面上で連結されており、小面クランプ１１と大面クランプ１２とは、小面クランプ１１において小面固定用パイプ２１を狭持する内周狭持面１１ａの大面クランプ１２側の端面Ｆ１から、大面クランプ１２における小面クランプ１１側の側端面Ｆ２までの距離が、大面堰板３２の端部に配置された桟木３４の幅以上の間隔を隔てられて配置されている。【選択図】  図１
2007126824.tif 000002
【特許請求の範囲】
【請求項１】
互いに直交するように設けられる小面堰板および大面堰板から構成される型枠において、前記小面堰板の外表面に設けられる桟木を押さえ付けて固定する小面固定用パイプと、前記大面堰板の外表面に設けられる桟木を押さえ付けて固定する大面固定用パイプとを連結して前記型枠の角部が開いてしまうのを防止するパイプ連結金具であって、
前記小面固定用パイプを狭持する小面クランプと、前記大面固定用パイプを狭持する大面クランプとが基板を介して連結されており、
前記小面クランプと前記大面クランプとは、前記小面クランプにおいて前記小面固定用パイプを狭持する内周狭持面の大面クランプ側の端面から、前記大面クランプにおける前記小面クランプ側の側端面までの距離が、前記大面堰板の端部に配置された桟木の幅以上の間隔を隔てられて配置されていることを特徴とする型枠の角開き止めパイプ連結金具。
【請求項２】
請求項１において、前記小面クランプはその開閉金具が前記基板の長手方向に直交する回転軸によって前記基板の外側を開口させる状態で固定されており、前記大面クランプはその開閉金具を前記基板の長手方向に平行な回転軸で開閉させる２つの位置に方向転換可能に配置されていることを特徴とする型枠の角開き止めパイプ連結金具。
【請求項３】
請求項１または請求項２において、前記小面クランプにおける本体金具の桟木側の側端面と、前記大面クランプにおける本体金具の内周狭持面の桟木側の端面とが、同一面上に位置するように形成されていることを特徴とする型枠の角開き止めパイプ連結金具。
【請求項４】
請求項１から請求項３のいずれかにおいて、前記基板は前記小面クランプと前記大面クランプのとの間に補強用の肉厚部を形成しているとともに、前記基板の幅は前記小面クランプおよび前記大面クランプの幅以下に形成していることを特徴とする型枠の角開き止めパイプ連結金具。
【発明の詳細な説明】
【技術分野】
【０００１】
本発明は、型枠の角部を締め付けるためのパイプを連結して角開きを防止するパイプ連結金具に関し、特に、熟練者でなくても型枠の角締め作業を迅速かつ確実に行うことのできる型枠の角開き止めパイプ連結金具に関するものである。
【背景技術】
【０００２】
従来より、コンクリート構造物を構築する際には、コンクリートパネル等の堰板で型枠を組み立て、この型枠の内側にコンクリートを打設するようになっている。しかしながら、型枠の角部においては、打設されたコンクリートの重量によって堰板が反り開いてしまうという問題がある。このため、従来では、図１４に示すように、型枠の堰板６１を押さえ付けるパイプ６２にチェーン６３を巻き付け、このチェーン６３をターンバックル６４で強く締め付けることにより角部が開くのを抑制している。
【０００３】
また、型枠の角部を押さえ付けるパイプを締結するための金具として、特許第２７７５２４０号公報に記載の直交クランプが知られている（特許文献１）。この直交クランプは、基部に対し、上方押え部と下方押え部が開閉自在に連結されている。そして、上方押え部と基部の間、および下方押え部と基部の間のそれぞれにおいて、直交する２本のパイプを狭持させ、アイボルトで締め付けるようになっている。
【０００４】
【特許文献１】特許第２７７５２４０号公報
【発明の開示】
【発明が解決しようとする課題】
【０００５】
しかしながら、上記したチェーン６３とターンバックル６４を用いる方法の場合、コンクリート圧によって角部が開くことは許されないため、どのパイプ６２のどこにチェーン６３を巻き付けるべきかの判断やターンバックル６４の締め付け具合等の判断に熟練度が要求される。また、仮に熟練者であっても角締め作業にはかなりの手間や時間がかかってしまう。さらに、大量のチェーン６３とターンバックル６４を準備して運搬するだけでも大変であるし、置き場所にも困る。しかもパイプ６２の位置がずれたり、チェーン６３の巻き具合が悪かったり、ターンバックル６４の締め付けが十分でない等、締め付け状態が緩んでしまう要素が多く存在しており、安全性が低い。
【０００６】
また、特許文献１に記載された直交クランプを使用する場合には、２本のパイプを水平に上下で交差させ、各端部を外方向に突出させて設置しなければならない。このため、パイプに沿って移動する作業者がその突出したパイプの端部にぶつかって怪我をするおそれがあるし、それを避けながら荷物を運ぶのは極めて煩わしい。作業場がさらに狭くなるも好ましくない。また、突出させる分だけ長いパイプが必要となるため、余分なパイプコストがかかり、運搬作業が大変であるし、型枠の設置スペースを広く取らねばならず、逆に作業場が狭くなるという問題がある。
【０００７】
さらに、直交するパイプの締め付け位置は、作業者にとって下方の足下であったり、上方の高い位置であったりするところ、特許文献１の直交クランプは、ナットで締め付けるアイボルトが上方と下方とに分かれて突出されているため、一方のクランプは下方からナットを締め付けると、他方のクランプは上方からナットを締め付けなければならず、極めて作業し難く非効率的な締結作業となってしまう。特に高所に配置されたパイプを上方側から締め付けるには、より高い位置に立って締め付け作業をしなければならないし、逆に足下に配置されたパイプを下方側から締め付けるには締結工具を入れるスペースが狭すぎて締め付けられないこともある。
【０００８】
さらにまた、型枠の角締め位置は四方に存在するところ、特許文献１の直交クランプは２つのクランプが基部に固定されており、締結方向が変えられない構造のため、右角部と左角部（右勝手と左勝手）の２種類を別々に用意しなければならず、締め付け作業上、混乱しやすい。
【０００９】
本発明は、このような問題点を解決するためになされたものであって、熟練者でなくても型枠の角開き止めパイプの連結作業を迅速かつ簡単に行うことができ、型枠の角開きを効果的に防止することができる型枠の角開き止めパイプ連結金具を提供することを目的としている。
【課題を解決するための手段】
【００１０】
本発明に係る型枠の角開き止めパイプ連結金具の特徴は、互いに直交するように設けられる小面堰板および大面堰板から構成される型枠において、前記小面堰板の外表面に設けられる桟木を押さえ付けて固定する小面固定用パイプと、前記大面堰板の外表面に設けられる桟木を押さえ付けて固定する大面固定用パイプとを連結して前記型枠の角部が開いてしまうのを防止するパイプ連結金具であって、前記小面固定用パイプを狭持する小面クランプと、前記大面固定用パイプを狭持する大面クランプとが基板を介して連結されており、前記小面クランプと前記大面クランプとは、前記小面クランプにおいて前記小面固定用パイプを狭持する内周狭持面の大面クランプ側の端面から、前記大面クランプにおける前記小面クランプ側の側端面までの距離が、前記大面堰板の端部に配置された桟木の幅以上の間隔を隔てられて配置されている点にある。
【００１１】
また、本発明において、前記小面クランプはその開閉金具が前記基板の長手方向に直交する回転軸によって前記基板の外側を開口させる状態で固定されており、前記大面クランプはその開閉金具を前記基板の長手方向に平行な回転軸で開閉させる２つの位置に方向転換可能に配置されていることが好ましい。
【００１２】
さらに、本発明において、前記小面クランプにおける本体金具の桟木側の側端面と、前記大面クランプにおける本体金具の内周狭持面の桟木側の端面とが、同一面上に位置するように形成されていることが好ましい。
【００１３】
また、本発明において、前記基板は前記小面クランプと前記大面クランプのとの間に補強用の肉厚部を形成しているとともに、前記基板の幅は前記小面クランプおよび前記大面クランプの幅以下に形成していることが好ましい。
【発明の効果】
【００１４】
本発明によれば、熟練者でなくても型枠の角開き止めパイプの連結作業を迅速かつ簡単に行うことができ、型枠の角開きを効果的に防止することができる。
【発明を実施するための最良の形態】
【００１５】
以下、本発明に係る型枠の角開き止めパイプ連結金具１の実施形態について図面を用いて説明する。図１から図３は、それぞれ本実施形態の型枠の角開き止めパイプ連結金具１を示す斜視図、正面図および平面図であり、図４は、図３における４Ａ−４Ａ線の矢視図である。また、図５は、本実施形態の型枠の角開き止めパイプ連結金具１を用いて角開き止めパイプ２を連結した型枠を示す平面図である。
【００１６】
まず、本実施形態のパイプ連結金具１が適用される型枠３について説明する。図５に示すように、型枠３はコンクリートを堰き止める堰板３１，３２のうち、小面を構成する小面堰板３１および大面を構成する大面堰板３２が互いに直交するように配置されている。なお、本実施形態でいう小面堰板３１とは両端部を隣接する大面堰板３２に狭持されて内側に配置される堰板３１のことであり、大面堰板３２とは小面堰板３１を狭持して両端部を突出させて配置される堰板３２のことをいう。小面堰板３１および大面堰板３２は、木製板、樹脂板、鋼板、アルミ板等から構成されており、セパレータ３３により所定の間隔を隔てるように配置されている。また、小面堰板３１および大面堰板３２の外表面には高さ方向に複数個の桟木３４が配置されており、これらの桟木３４を押さえ付けて固定する型枠用パイプ２が締付金具３５によって略水平方向に固定されている。
【００１７】
本実施形態における型枠用パイプ２は、桟木３４を介して小面堰板３１を押圧して固定する小面固定用パイプ２１と、桟木３４を介して大面堰板３２を押圧して固定する大面固定用パイプ２２とから構成されている。そして、小面固定用パイプ２１は、図５に示すように、大面堰板３２の端部に設けられた桟木３４の端部からわずかに突出する長さに形成されている。一方、大面固定用パイプ２２は、大面堰板３２の端部に設けられた桟木３４に当接し、かつ、小面固定用パイプ２１には接触せずに所定の間隔を隔てる長さに形成されている。
【００１８】
以上の型枠３において、本実施形態の型枠角開き止めパイプ連結金具１は、小面固定用パイプ２１の端部と大面固定用パイプ２２の端部を締結することにより、型枠３の角部を強く固定するようになっている。具体的には、図１から図４に示すように、本実施形態の型枠角開き止めパイプ連結金具１は、主として、小面固定用パイプ２１を狭持する小面クランプ１１と、大面固定用パイプ２２を狭持する大面クランプ１２と、これら大面クランプ１２および小面クランプ１１とを一体的に連結する基板１３とから構成されている。以下、本実施形態の型枠角開き止めパイプ連結金具１の各構成部についてより詳細に説明する。
【００１９】
小面クランプ１１および大面クランプ１２は、基板１３上に配置される本体金具１１１，１２１と、各本体金具１１１，１２１に対して開閉自在に軸支される開閉金具１１２，１２２と、前記各本体金具１１１，１２１に対して回動自在に軸支される回動ボルト１１３，１２３と、各回動ボルト１１３，１２３に螺合するフランジナット１１４，１２４とを有している。
【００２０】
本実施形態において、小面クランプ１１は、その本体金具１１１が基板１３に対して固定されているが、大面クランプ１２は、図４に示すように、その本体金具１２１が基板１３に設けられた軸部材１４に回転自在に連結されており、１８０度の方向転換ができるようになっている。具体的には、図１に示すように、小面クランプ１１はその開閉金具１１２が前記基板１３の長手方向に直交する回転軸１１５で前記基板１３の外側を開放する状態にして固定されており、大面クランプ１２はその開閉金具１２２を前記基板１３の長手方向に平行な回転軸１２５で開閉させる第１位置から、図６に示すように１８０度方向転換された第２位置までを回転するようになっている。
【００２１】
各クランプ１１，１２における本体金具１１１，１２１と開閉金具１１２，１２２の内周面には、各固定用パイプ２１，２２の外周面を狭持する湾曲状の内周狭持面１１ａ、１２ａが形成されている。また、開閉金具１１２，１２２には、その先端部に遊嵌凹部１１２ａ，１２２ａが形成されており、回動ボルト１１３，１２３を遊嵌させてフランジナット１１４，１２４で締結するようになっている。
【００２２】
なお、本実施形態では、小面クランプ１１の開閉金具１１２が基板１３の外方（下方）へ回動させて開かせるとともに、回動ボルト１１３を上方側から遊嵌凹部１１２ａに嵌入させる構成を採用しているが、このような位置関係に限らず、大面クランプ１２のように開閉金具１２２を基板１３の内方（上方）へ回動させて開かせるとともに、回動ボルト１２３を下方側から遊嵌凹部１２２ａに嵌入させる構成を採用してもよい。要するに、フランジナット１１４を締め付ける作業の便宜上、回動ボルト１１３の自由端を基板１３の外側に向けて前記フランジナット１１４を外側から締め付けられるようにしている。
【００２３】
大面クランプ１２についても作業便宜上の観点から同様に、第１位置および第２位置に配置して大面固定用パイプ２２を狭持する際、回動ボルト１２３の自由端を型枠３の外方に向けてフランジナット１２４を締め付けられる構成であれば、開閉金具１２２の回動方向が上方または下方のいずれの方向に開くように構成してもよい。
【００２４】
本実施形態において、小面クランプ１１と大面クランプ１２との間隔について説明する。小面クランプ１１と大面クランプ１２とは、図４、図５および図７に示すように、小面クランプ１１の内周狭持面１１ａにおける大面クランプ１２側の端面Ｆ１から、大面クランプ１２における小面クランプ１１側の側端面Ｆ２までの距離が、大面堰板３２の端部に配置された桟木３４の幅と同一若しくはそれ以上となるように設定されている。もし前記クランプ１１，１２間の距離を端部の桟木３４の幅よりも小さく形成してしまうと、小面固定用パイプ２１および大面固定用パイプ２２を桟木３４に押圧させながら狭持することができないという不都合が生じる。
【００２５】
なお、図５に示すように、小面クランプ１１の端面Ｆ１から大面クランプ１２の側端面Ｆ２までの距離を桟木３４と同一幅にすることで、本実施形態の型枠角開き止めパイプ連結金具１をコンパクト化でき、しかも側端面Ｆ２を利用して小面固定用パイプ２１との間で桟木３４を狭持できるので型枠３の角部の開きをより効果的に防止できる。
【００２６】
また、本実施形態では、図５、図８および図９に示すように、小面クランプ１１における本体金具１１１の桟木３４側の側端面Ｆ３と、大面クランプ１２における本体金具１２１の内周狭持面１２ａの桟木３４側の端面Ｆ４とが、同一面上に位置するように形成されている。これにより小面クランプ１１の側端面Ｆ３を利用して桟木３４を押圧することができるので型枠３の角部の開きをより効果的に防止でき、連結金具１の位置決めも容易にできる。もし小面クランプ１１における本体金具１１１の側端面Ｆ３が出っ張ると、桟木３４に当接し大面固定用パイプ２２を狭持できないという不都合が生じる。
【００２７】
つぎに、基板１３は、剛性の高い鋼材等によって平板状に形成されており、小面クランプ１１と大面クランプ１２との間には肉厚部１３１が形成され、基板１３を補強している。また、大面クランプ１２を回転自在に軸支する軸部材１４が前記基板１３上に突出形成されており、この軸部材１４に大面クランプ１２の固定金具１２１が回転自在に遊嵌されている。なお、図４に示すように、軸部材１４は縦断面Ｉ字状に形成されており、基板１３の上下に貫通されて固定されている。また、基板１３の幅はパイプ連結の際の邪魔にならないように小面クランプ１１および大面クランプ１２の幅以下に形成されている。
【００２８】
つぎに、本実施形態の型枠の角開き止めパイプ連結金具１の作用について図面を用いて説明する。
【００２９】
まず、本実施形態の型枠角開き止めパイプ連結金具１により、型枠用パイプ２を連結する場合、大面クランプ１２を軸部材１４の回りに回転させ、図１に示す第１位置または図６に示す第２位置に配置する。このとき、図５の上方における角部を連結する場合は大面クランプ１２を第１位置に配置し、図５の下方における角部を連結する場合は第２位置に配置する。これにより、回動ボルト１１３，１２３およびフランジナット１１４，１２４が大面堰板３２に対して外方に配置されるため、締付工具が使用できてフランジナット１１４，１２４の締結作業が容易になり、作業時間が短縮される。
【００３０】
つぎに、各クランプ１１，１２の開閉金具１１２，１２２を開いた状態で、小面クランプ１１の本体金具１１１を小面固定用パイプ２１と大面固定用パイプ２２の隙間に挿入するとともに、大面クランプ１２の本体金具１２１を大面固定用パイプ２２の後方へと回り込ませる。そして、各開閉金具１１２，１２２を閉じた後、それぞれの回動ボルト１１３，１２３を回転させて遊嵌凹部１１２ａ，１２２ａに遊嵌しフランジナット１１４，１２４を締め付ける。これにより、小面クランプ１１が小面固定用パイプ２１を狭持するとともに、大面クランプ１２が大面固定用パイプ２２を狭持するため、小面固定用パイプ２１と大面固定用パイプ２２が基板１３を介して強固に連結される。
【００３１】
上記のように連結された状態では、図５に示すように、大面クランプ１２の本体金具１２１の側端面Ｆ２が、小面固定用パイプ２１との間で桟木３４を狭持することにもなるため、連結状態の安定性が向上する。また、基板１３の幅が小面クランプ１１および大面クランプ１２の幅以下に形成されているため、小面クランプ１１における本体金具１１１の桟木３４側の側端面Ｆ３と、大面固定用パイプ２２との双方で桟木３４を押さえ付けることになり、より効果的に型枠３の角開きが防止される。さらに、小面クランプ１１の本体金具１１１の側端面Ｆ３が桟木３４に当接するため、本実施形態の型枠角開き止めパイプ連結金具１を取り付ける際の位置決めが容易になる。
【００３２】
また、前述した本実施形態の説明では、図５に示すように、フランジナット１１４，１２４が上方を向くように角開き止めパイプ連結金具１を使用する場合について例を示したが、もちろん図１０に示すように、フランジナット１１４，１２４が下方を向くように使用することも可能である。このように使用すれば、下方に配置された型枠用パイプ２を連結する場合にはフランジナット１１４，１２４を上方へ向けて取り付け、上方に配置された型枠用パイプ２を連結する場合にはフランジナット１１４，１２４を下方へ向けて取り付けて使用することができ、足下付近の型枠用パイプ２や頭上付近の型枠用パイプ２の連結作業が極めて作業しやすくなる。
【００３３】
さらに、図１１に示すような補強も可能である。つまり、上下各２本の小面固定用パイプ２１および大面固定用パイプ２２に加えて、約１ｍ程度の補強用パイプ２３を締付金具３５により下方に固定し、本実施形態の型枠角開き止めパイプ連結金具１によって各補強用パイプ２３を連結すれば、極めて強固に型枠３の角部を締め付けることができ確実に開き止めを行うことができる。
【００３４】
以上のような本実施形態によれば、
１．熟練者でなくても型枠用パイプ２の連結作業を迅速かつ簡単に行うことができ、型枠３の角開きを効果的に防止することができる。
２．型枠用パイプ２は型枠３の角部からほとんど突出させる必要がないため、作業スペース等を充分に確保することができて作業者の安全性を向上することができるし、パイプコストや設置スペースの低減を図ることもできる。
３．大面クランプ１２が第１位置と第２位置との方向転換が可能であるため、左右上下いずれの位置にある角部（右勝手および左勝手）に対しても適用することができ、すべての角部に対応することができる。
４．各クランプ１１，１２のフランジナット１１４，１２４が、基板１３に対し同一方向に配置されるため、高所に配置された型枠用パイプ２の連結作業および低所に配置された型枠用パイプ２の締め付け作業に合わせて各クランプ１１，１２の向きを変更できるため簡単に角締め作業を行うことができる。
５．取り付け時には容易に位置決めすることができ、取り付けた後は、連結状態の安定性を向上させることができる。
６．基板１３に必要な強度を保持させながら、コンパクト化することができる。
等の効果を奏することができる。
【００３５】
なお、本発明に係る型枠の角開き止めパイプ連結金具１は、前述した実施形態に限定されるものではなく、適宜変更することができる。
【００３６】
例えば、上述した実施形態では、大面クランプ１２を基板１３に対して１８０度方向転換可能に設けることで、左右対称位置にある型枠３の角部の双方において使用可能な構成としている。しかしながら、これに限られるものではなく、小面クランプ１１および大面クランプ１２の双方を基板１３に対して固定し、図１２および図１３に示すように、左角部用の角開き止めパイプ連結金具４と、右角部用の角開き止めパイプ連結金具５の２種類を使い分ければよい。
【００３７】
また、上述した実施形態では、大面クランプ１２の第１位置および第２位置の方向転換構造は、本体金具１２１を軸部材１４に対して回転自在に連結することによって実現しているが、例えば、大面クランプ１２を着脱自在にして、第１位置および第２位置に方向転換する構成にしてもよい。
【図面の簡単な説明】
【００３８】
【図１】本発明に係る型枠の角開き止めパイプ連結金具の実施形態を示す斜視図である。
【図２】本実施形態の型枠の角開き止めパイプ連結金具を示す正面図である。
【図３】図２の平面図である。
【図４】図３における４Ａ−４Ａ線の矢視図である。
【図５】本実施形態の型枠の角開き止めパイプ連結金具を用いて型枠用パイプを連結した型枠を示す平面図である。
【図６】本実施形態の型枠の角開き止めパイプ連結金具において、大面クランプが第２位置に配置された状態を示す斜視図である。
【図７】図５の矢印７Ａから見た正面図である。
【図８】図２の右側面図である。
【図９】図２の左側面図である。
【図１０】本実施形態において、フランジナットが下方を向くように型枠の角開き止めパイプ連結金具を取り付けた状態を示す平面図である。
【図１１】本実施形態における型枠の他の実施形態を示す斜視図である。
【図１２】本発明に係る型枠の角開き止めパイプ連結金具の他の実施形態を示す斜視図である。
【図１３】本発明に係る型枠の角開き止めパイプ連結金具の他の実施形態を示す斜視図である。
【図１４】従来技術によって型枠の角部を締め付けた状態を示す平面図である。
【符号の説明】
【００３９】
１  型枠の角開き止めパイプ連結金具
２  型枠用パイプ
３  型枠
４  左角部用の角開き止めパイプ連結金具
５  右角部用の角開き止めパイプ連結金具
１１  小面クランプ
１１ａ  内周狭持面
１２  大面クランプ
１２ａ  内周狭持面
１３  基板
１４  軸部材
２１  小面固定用パイプ
２２  大面固定用パイプ
２３  補強用パイプ
３１  小面堰板
３２  大面堰板
３３  セパレータ
３４  桟木
３５  締付金具
６１  堰板
６２  パイプ
６３  チェーン
６４  ターンバックル
１１１，１２１  本体金具
１１２，１２２  開閉金具
１１２ａ，１２２ａ  遊嵌凹部
１１３，１２３  回動ボルト
１１４，１２４  フランジナット
１１５，１２５  回転軸
１３１  肉厚部
Ｆ１  小面クランプの内周狭持面における大面クランプ側の端面
Ｆ２  大面クランプにおける小面クランプ側の側端面
Ｆ３  小面クランプにおける本体金具の桟木側の側端面
Ｆ４  大面クランプにおける本体金具の内周狭持面の桟木側の端面
【図１】
2007126824.tif 000003
【図２】
2007126824.tif 000004
【図３】
2007126824.tif 000005
【図４】
2007126824.tif 000006
【図５】
2007126824.tif 000007
【図６】
2007126824.tif 000008
【図７】
2007126824.tif 000009
【図８】
2007126824.tif 000010
【図９】
2007126824.tif 000011
【図１０】
2007126824.tif 000012
【図１１】
2007126824.tif 000013
【図１２】
2007126824.tif 000014
【図１３】
2007126824.tif 000015
【図１４】
2007126824.tif 000016
【手続補正書】
【提出日】平成18年2月17日(2006.2.17)
【手続補正１】
【補正対象書類名】特許請求の範囲
【補正対象項目名】全文
【補正方法】変更
【補正の内容】
【特許請求の範囲】
【請求項１】
互いに直交するように設けられる小面堰板および大面堰板から構成される型枠において、前記小面堰板の外表面に並設された複数の桟木を押さえて固定する小面固定用パイプと、前記大面堰板の外表面に並設された複数の桟木を押さえて固定する大面固定用パイプとを略同一平面上で連結して前記型枠の角部が開いてしまうのを防止するパイプ連結金具であって、
前記小面固定用パイプを狭持する小面クランプと、前記大面固定用パイプを狭持する大面クランプとが基板を介して略同一平面上で連結されており、
前記小面クランプと前記大面クランプとは、前記小面クランプにおいて前記小面固定用パイプを狭持する内周狭持面の大面クランプ側の端面から、前記大面クランプにおける前記小面クランプ側の側端面までの距離が、前記大面堰板の端部に配置された桟木の幅以上の間隔を隔てられて配置されていることを特徴とする型枠の角開き止めパイプ連結金具。
【請求項２】
請求項１において、前記小面クランプはその開閉金具が前記基板の長手方向に直交する回転軸によって前記基板の外側を開口させる状態で固定されており、前記大面クランプはその開閉金具を前記基板の長手方向に平行な回転軸で開閉させる２つの位置に方向転換可能に配置されていることを特徴とする型枠の角開き止めパイプ連結金具。
【請求項３】
請求項１または請求項２において、前記小面クランプにおける本体金具の桟木側の側端面と、前記大面クランプにおける本体金具の内周狭持面の桟木側の端面とが、同一面上に位置するように形成されていることを特徴とする型枠の角開き止めパイプ連結金具。
【請求項４】
請求項１から請求項３のいずれかにおいて、前記基板は前記小面クランプと前記大面クランプとの間に補強用の肉厚部を形成しているとともに、前記基板の幅は前記小面クランプおよび前記大面クランプの幅以下に形成していることを特徴とする型枠の角開き止めパイプ連結金具。
【請求項５】
互いに直交するように設けられる小面堰板および大面堰板から構成される型枠を固定する型枠固定構造であって、
前記小面堰板の外表面に並設される複数の小面堰板用の桟木と、
前記大面堰板の外表面に並設される複数の大面堰板用の桟木と、
前記小面堰板用の各桟木を押さえて固定するとともに、前記大面堰板用の各桟木のうち最端部の桟木の端面からパイプ端部を突出させた小面固定用パイプと、
この小面固定用パイプと略同一平面上においてその突出させた前記パイプ端部から所定の間隔を隔てて配置され、前記大面堰板用の各桟木を押さえて固定する大面固定用パイプと、
前記小面固定用パイプの前記突出させたパイプ端部を狭持する小面クランプ、および前記大面堰板用の最端部の桟木に当接させてあるいはわずかに離間させて前記大面固定用パイプを狭持する大面クランプを、基板を介して連結させてなるパイプ連結金具と
によって固定することを特徴とする型枠固定構造。
【請求項６】
互いに直交するように設けられる小面堰板および大面堰板から構成される型枠を固定する型枠固定方法であって、
前記小面堰板の外表面に複数の小面堰板用の桟木を並設し、
前記大面堰板の外表面に複数の大面堰板用の桟木を並設し、
前記小面堰板用の各桟木を押さえて固定する小面固定用パイプを、前記大面堰板用の各桟木のうち最端部の桟木の端面から突出させて配置し、
前記大面堰板用の各桟木を押さえて固定する大面固定用パイプを、前記小面固定用パイプと略同一平面上において前記突出させた部分から所定の間隔を隔てて配置し、
前記小面固定用パイプを狭持する小面クランプおよび前記大面固定用パイプを狭持する大面クランプを基板によって連結したパイプ連結金具を使い、前記小面クランプによって前記小面固定用パイプの前記突出させたパイプ端部を狭持させるとともに、前記大面クランプによって前記大面堰板用の最端部の桟木に当接させつつあるいはわずかに離間させて前記大面固定用パイプを狭持させることにより型枠を固定することを特徴とする型枠固定方法。
【手続補正２】
【補正対象書類名】明細書
【補正対象項目名】全文
【補正方法】変更
【補正の内容】
【発明の詳細な説明】
【技術分野】
【０００１】
本発明は、型枠の角部を締め付けるためのパイプを連結して角開きを防止するパイプ連結金具に関し、特に、熟練者でなくても型枠の角締め作業を迅速かつ確実に行うことのできる型枠の角開き止めパイプ連結金具、型枠固定構造および型枠固定方法に関するものである。
【背景技術】
【０００２】
従来より、コンクリート構造物を構築する際には、コンクリートパネル等の堰板で型枠を組み立て、この型枠の内側にコンクリートを打設するようになっている。しかしながら、型枠の角部においては、打設されたコンクリートの重量によって堰板が反り開いてしまうという問題がある。このため、従来では、図１４に示すように、型枠の堰板６１を押さえ付けるパイプ６２にチェーン６３を巻き付け、このチェーン６３をターンバックル６４で強く締め付けることにより角部が開くのを抑制している。
【０００３】
また、型枠の角部を押さえ付けるパイプを締結するための金具として、特許第２７７５２４０号公報に記載の直交クランプが知られている（特許文献１）。この直交クランプは、基部に対し、上方押え部と下方押え部が開閉自在に連結されている。そして、上方押え部と基部の間、および下方押え部と基部の間のそれぞれにおいて、直交する２本のパイプを狭持させ、アイボルトで締め付けるようになっている。
【０００４】
【特許文献１】特許第２７７５２４０号公報
【発明の開示】
【発明が解決しようとする課題】
【０００５】
しかしながら、上記したチェーン６３とターンバックル６４を用いる方法の場合、コンクリート圧によって角部が開くことは許されないため、どのパイプ６２のどこにチェーン６３を巻き付けるべきかの判断やターンバックル６４の締め付け具合等の判断に熟練度が要求される。また、仮に熟練者であっても角締め作業にはかなりの手間や時間がかかってしまう。さらに、大量のチェーン６３とターンバックル６４を準備して運搬するだけでも大変であるし、置き場所にも困る。しかもパイプ６２の位置がずれたり、チェーン６３の巻き具合が悪かったり、ターンバックル６４の締め付けが十分でない等、締め付け状態が緩んでしまう要素が多く存在しており、安全性が低い。
【０００６】
また、特許文献１に記載された直交クランプを使用する場合には、２本のパイプを水平に上下で交差させ、各端部を外方向に突出させて設置しなければならない。このため、パイプに沿って移動する作業者がその突出したパイプの端部にぶつかって怪我をするおそれがあるし、それを避けながら荷物を運ぶのは極めて煩わしい。作業場がさらに狭くなるも好ましくない。また、突出させる分だけ長いパイプが必要となるため、余分なパイプコストがかかり、運搬作業が大変であるし、型枠の設置スペースを広く取らねばならず、逆に作業場が狭くなるという問題がある。
【０００７】
さらに、直交するパイプの締め付け位置は、作業者にとって下方の足下であったり、上方の高い位置であったりするところ、特許文献１の直交クランプは、ナットで締め付けるアイボルトが上方と下方とに分かれて突出されているため、一方のクランプは下方からナットを締め付けると、他方のクランプは上方からナットを締め付けなければならず、極めて作業し難く非効率的な締結作業となってしまう。特に高所に配置されたパイプを上方側から締め付けるには、より高い位置に立って締め付け作業をしなければならないし、逆に足下に配置されたパイプを下方側から締め付けるには締結工具を入れるスペースが狭すぎて締め付けられないこともある。
【０００８】
さらにまた、型枠の角締め位置は四方に存在するところ、特許文献１の直交クランプは２つのクランプが基部に固定されており、締結方向が変えられない構造のため、右角部と左角部（右勝手と左勝手）の２種類を別々に用意しなければならず、締め付け作業上、混乱しやすい。
【０００９】
本発明は、このような問題点を解決するためになされたものであって、熟練者でなくても型枠の角開き止めパイプの連結作業を迅速かつ簡単に行うことができ、型枠の角開きを効果的に防止することができる型枠の角開き止めパイプ連結金具、型枠固定構造および型枠固定方法を提供することを目的としている。
【課題を解決するための手段】
【００１０】
本発明に係る型枠の角開き止めパイプ連結金具の特徴は、互いに直交するように設けられる小面堰板および大面堰板から構成される型枠において、前記小面堰板の外表面に並設された複数の桟木を押さえて固定する小面固定用パイプと、前記大面堰板の外表面に並設された複数の桟木を押さえて固定する大面固定用パイプとを略同一面上で連結して前記型枠の角部が開いてしまうのを防止するパイプ連結金具であって、前記小面固定用パイプを狭持する小面クランプと、前記大面固定用パイプを狭持する大面クランプとが基板を介して略同一面上で連結されており、前記小面クランプと前記大面クランプとは、前記小面クランプにおいて前記小面固定用パイプを狭持する内周狭持面の大面クランプ側の端面から、前記大面クランプにおける前記小面クランプ側の側端面までの距離が、前記大面堰板の端部に配置された桟木の幅以上の間隔を隔てられて配置されている点にある。
【００１１】
また、本発明において、前記小面クランプはその開閉金具が前記基板の長手方向に直交する回転軸によって前記基板の外側を開口させる状態で固定されており、前記大面クランプはその開閉金具を前記基板の長手方向に平行な回転軸で開閉させる２つの位置に方向転換可能に配置されていることが好ましい。
【００１２】
さらに、本発明において、前記小面クランプにおける本体金具の桟木側の側端面と、前記大面クランプにおける本体金具の内周狭持面の桟木側の端面とが、同一面上に位置するように形成されていることが好ましい。
【００１３】
また、本発明において、前記基板は前記小面クランプと前記大面クランプとの間に補強用の肉厚部を形成しているとともに、前記基板の幅は前記小面クランプおよび前記大面クランプの幅以下に形成していることが好ましい。
【００１４】
また、本発明に係る型枠固定構造の特徴は、互いに直交するように設けられる小面堰板および大面堰板から構成される型枠を固定する型枠固定構造であって、前記小面堰板の外表面に並設される複数の小面堰板用の桟木と、前記大面堰板の外表面に並設される複数の大面堰板用の桟木と、前記小面堰板用の各桟木を押さえて固定するとともに、前記大面堰板用の各桟木のうち最端部の桟木の端面からパイプ端部を突出させた小面固定用パイプと、この小面固定用パイプと略同一平面上においてその突出させた前記パイプ端部から所定の間隔を隔てて配置され、前記大面堰板用の各桟木を押さえて固定する大面固定用パイプと、前記小面固定用パイプの前記突出させたパイプ端部を狭持する小面クランプ、および前記大面堰板用の最端部の桟木に当接させてあるいはわずかに離間させて前記大面固定用パイプを狭持する大面クランプを、基板を介して連結させてなるパイプ連結金具とによって固定する点にある。
【００１５】
また、本発明に係る型枠固定方法の特徴は、互いに直交するように設けられる小面堰板および大面堰板から構成される型枠を固定する型枠固定方法であって、前記小面堰板の外表面に複数の小面堰板用の桟木を並設し、前記大面堰板の外表面に複数の大面堰板用の桟木を並設し、前記小面堰板用の各桟木を押さえて固定する小面固定用パイプを、前記大面堰板用の各桟木のうち最端部の桟木の端面から突出させて配置し、前記大面堰板用の各桟木を押さえて固定する大面固定用パイプを、前記小面固定用パイプと略同一平面上において前記突出させた部分から所定の間隔を隔てて配置し、前記小面固定用パイプを狭持する小面クランプおよび前記大面固定用パイプを狭持する大面クランプを基板によって連結したパイプ連結金具を使い、前記小面クランプによって前記小面固定用パイプの前記突出させたパイプ端部を狭持させるとともに、前記大面クランプによって前記大面堰板用の最端部の桟木に当接させつつあるいはわずかに離間させて前記大面固定用パイプを狭持させることにより型枠を固定する点にある。
【発明の効果】
【００１６】
本発明によれば、熟練者でなくても型枠の角開き止めパイプの連結作業を迅速かつ簡単に行うことができ、型枠の角開きを効果的に防止することができる。
【発明を実施するための最良の形態】
【００１７】
以下、本発明に係る型枠の角開き止めパイプ連結金具１、型枠固定構造および型枠固定方法の実施形態について図面を用いて説明する。図１から図３は、それぞれ本実施形態の型枠の角開き止めパイプ連結金具１を示す斜視図、正面図および平面図であり、図４は、図３における４Ａ−４Ａ線の矢視図である。また、図５は、本実施形態の型枠の角開き止めパイプ連結金具１を用いて角開き止めパイプ２を連結した型枠を示す平面図である。
【００１８】
まず、本実施形態のパイプ連結金具１が適用される型枠３について説明する。図５に示すように、型枠３はコンクリートを堰き止める堰板３１，３２のうち、小面を構成する小面堰板３１および大面を構成する大面堰板３２が互いに直交するように配置されている。なお、本実施形態でいう小面堰板３１とは両端部を隣接する大面堰板３２に狭持されて内側に配置される堰板３１のことであり、大面堰板３２とは小面堰板３１を狭持して両端部を突出させて配置される堰板３２のことをいう。小面堰板３１および大面堰板３２は、木製板、樹脂板、鋼板、アルミ板等から構成されており、セパレータ３３により所定の間隔を隔てるように配置されている。また、小面堰板３１および大面堰板３２の外表面には高さ方向に複数個の桟木３４が配置されており、これらの桟木３４を押さえ付けて固定する型枠用パイプ２が締付金具３５によって略水平方向に固定されている。
【００１９】
本実施形態における型枠用パイプ２は、桟木３４を介して小面堰板３１を押圧して固定する小面固定用パイプ２１と、桟木３４を介して大面堰板３２を押圧して固定する大面固定用パイプ２２とから構成されている。そして、小面固定用パイプ２１は、図５に示すように、大面堰板３２の端部に設けられた桟木３４の端部からわずかに突出する長さに形成されている。一方、大面固定用パイプ２２は、大面堰板３２の端部に設けられた桟木３４に当接し、かつ、小面固定用パイプ２１には接触せずに所定の間隔を隔てる長さに形成されている。
【００２０】
以上の型枠３において、本実施形態の型枠角開き止めパイプ連結金具１は、小面固定用パイプ２１の端部と大面固定用パイプ２２の端部を締結することにより、型枠３の角部を強く固定するようになっている。具体的には、図１から図４に示すように、本実施形態の型枠角開き止めパイプ連結金具１は、主として、小面固定用パイプ２１を狭持する小面クランプ１１と、大面固定用パイプ２２を狭持する大面クランプ１２と、これら大面クランプ１２および小面クランプ１１とを一体的に連結する基板１３とから構成されている。以下、本実施形態の型枠角開き止めパイプ連結金具１の各構成部についてより詳細に説明する。
【００２１】
小面クランプ１１および大面クランプ１２は、基板１３上に配置される本体金具１１１，１２１と、各本体金具１１１，１２１に対して開閉自在に軸支される開閉金具１１２，１２２と、前記各本体金具１１１，１２１に対して回動自在に軸支される回動ボルト１１３，１２３と、各回動ボルト１１３，１２３に螺合するフランジナット１１４，１２４とを有している。
【００２２】
本実施形態において、小面クランプ１１は、その本体金具１１１が基板１３に対して固定されているが、大面クランプ１２は、図４に示すように、その本体金具１２１が基板１３に設けられた軸部材１４に回転自在に連結されており、１８０度の方向転換ができるようになっている。具体的には、図１に示すように、小面クランプ１１はその開閉金具１１２が前記基板１３の長手方向に直交する回転軸１１５で前記基板１３の外側を開放する状態にして固定されており、大面クランプ１２はその開閉金具１２２を前記基板１３の長手方向に平行な回転軸１２５で開閉させる第１位置から、図６に示すように１８０度方向転換された第２位置までを回転するようになっている。
【００２３】
各クランプ１１，１２における本体金具１１１，１２１と開閉金具１１２，１２２の内周面には、各固定用パイプ２１，２２の外周面を狭持する湾曲状の内周狭持面１１ａ、１２ａが形成されている。また、開閉金具１１２，１２２には、その先端部に遊嵌凹部１１２ａ，１２２ａが形成されており、回動ボルト１１３，１２３を遊嵌させてフランジナット１１４，１２４で締結するようになっている。
【００２４】
なお、本実施形態では、小面クランプ１１の開閉金具１１２が基板１３の外方（下方）へ回動させて開かせるとともに、回動ボルト１１３を上方側から遊嵌凹部１１２ａに嵌入させる構成を採用しているが、このような位置関係に限らず、大面クランプ１２のように開閉金具１２２を基板１３の内方（上方）へ回動させて開かせるとともに、回動ボルト１２３を下方側から遊嵌凹部１２２ａに嵌入させる構成を採用してもよい。要するに、フランジナット１１４を締め付ける作業の便宜上、回動ボルト１１３の自由端を基板１３の外側に向けて前記フランジナット１１４を外側から締め付けられるようにしている。
【００２５】
大面クランプ１２についても作業便宜上の観点から同様に、第１位置および第２位置に配置して大面固定用パイプ２２を狭持する際、回動ボルト１２３の自由端を型枠３の外方に向けてフランジナット１２４を締め付けられる構成であれば、開閉金具１２２の回動方向が上方または下方のいずれの方向に開くように構成してもよい。
【００２６】
本実施形態において、小面クランプ１１と大面クランプ１２との間隔について説明する。小面クランプ１１と大面クランプ１２とは、図４、図５および図７に示すように、小面クランプ１１の内周狭持面１１ａにおける大面クランプ１２側の端面Ｆ１から、大面クランプ１２における小面クランプ１１側の側端面Ｆ２までの距離が、大面堰板３２の端部に配置された桟木３４の幅と同一若しくはそれ以上となるように設定されている。もし前記クランプ１１，１２間の距離を端部の桟木３４の幅よりも小さく形成してしまうと、小面固定用パイプ２１および大面固定用パイプ２２を桟木３４に押圧させながら狭持することができないという不都合が生じる。
【００２７】
なお、図５に示すように、小面クランプ１１の端面Ｆ１から大面クランプ１２の側端面Ｆ２までの距離を桟木３４と同一幅にすることで、本実施形態の型枠角開き止めパイプ連結金具１をコンパクト化でき、しかも側端面Ｆ２を利用して小面固定用パイプ２１との間で桟木３４を狭持できるので型枠３の角部の開きをより効果的に防止できる。
【００２８】
また、本実施形態では、図５、図８および図９に示すように、小面クランプ１１における本体金具１１１の桟木３４側の側端面Ｆ３と、大面クランプ１２における本体金具１２１の内周狭持面１２ａの桟木３４側の端面Ｆ４とが、同一面上に位置するように形成されている。これにより小面クランプ１１の側端面Ｆ３を利用して桟木３４を押圧することができるので型枠３の角部の開きをより効果的に防止でき、連結金具１の位置決めも容易にできる。もし小面クランプ１１における本体金具１１１の側端面Ｆ３が出っ張ると、桟木３４に当接し大面固定用パイプ２２を狭持できないという不都合が生じる。
【００２９】
つぎに、基板１３は、剛性の高い鋼材等によって平板状に形成されており、小面クランプ１１と大面クランプ１２との間には肉厚部１３１が形成され、基板１３を補強している。また、大面クランプ１２を回転自在に軸支する軸部材１４が前記基板１３上に突出形成されており、この軸部材１４に大面クランプ１２の固定金具１２１が回転自在に遊嵌されている。なお、図４に示すように、軸部材１４は縦断面Ｉ字状に形成されており、基板１３の上下に貫通されて固定されている。また、基板１３の幅はパイプ連結の際の邪魔にならないように小面クランプ１１および大面クランプ１２の幅以下に形成されている。
【００３０】
つぎに、本実施形態の型枠の角開き止めパイプ連結金具１、型枠固定構造および型枠固定方法の作用について図面を用いて説明する。
【００３１】
まず、本実施形態の型枠角開き止めパイプ連結金具１により、型枠用パイプ２を連結する場合、大面クランプ１２を軸部材１４の回りに回転させ、図１に示す第１位置または図６に示す第２位置に配置する。このとき、図５の上方における角部を連結する場合は大面クランプ１２を第１位置に配置し、図５の下方における角部を連結する場合は第２位置に配置する。これにより、回動ボルト１１３，１２３およびフランジナット１１４，１２４が大面堰板３２に対して外方に配置されるため、締付工具が使用できてフランジナット１１４，１２４の締結作業が容易になり、作業時間が短縮される。
【００３２】
つぎに、各クランプ１１，１２の開閉金具１１２，１２２を開いた状態で、小面クランプ１１の本体金具１１１を小面固定用パイプ２１と大面固定用パイプ２２の隙間に挿入するとともに、大面クランプ１２の本体金具１２１を大面固定用パイプ２２の後方へと回り込ませる。そして、各開閉金具１１２，１２２を閉じた後、それぞれの回動ボルト１１３，１２３を回転させて遊嵌凹部１１２ａ，１２２ａに遊嵌しフランジナット１１４，１２４を締め付ける。これにより、小面クランプ１１が小面固定用パイプ２１を狭持するとともに、大面クランプ１２が大面固定用パイプ２２を狭持するため、小面固定用パイプ２１と大面固定用パイプ２２が基板１３を介して強固に連結される。
【００３３】
上記のように連結された状態では、図５に示すように、大面クランプ１２の本体金具１２１の側端面Ｆ２が、小面固定用パイプ２１との間で桟木３４を狭持することにもなるため、連結状態の安定性が向上する。また、基板１３の幅が小面クランプ１１および大面クランプ１２の幅以下に形成されているため、小面クランプ１１における本体金具１１１の桟木３４側の側端面Ｆ３と、大面固定用パイプ２２との双方で桟木３４を押さえ付けることになり、より効果的に型枠３の角開きが防止される。さらに、小面クランプ１１の本体金具１１１の側端面Ｆ３が桟木３４に当接するため、本実施形態の型枠角開き止めパイプ連結金具１を取り付ける際の位置決めが容易になる。
【００３４】
また、前述した本実施形態の説明では、図５に示すように、フランジナット１１４，１２４が上方を向くように角開き止めパイプ連結金具１を使用する場合について例を示したが、もちろん図１０に示すように、フランジナット１１４，１２４が下方を向くように使用することも可能である。このように使用すれば、下方に配置された型枠用パイプ２を連結する場合にはフランジナット１１４，１２４を上方へ向けて取り付け、上方に配置された型枠用パイプ２を連結する場合にはフランジナット１１４，１２４を下方へ向けて取り付けて使用することができ、足下付近の型枠用パイプ２や頭上付近の型枠用パイプ２の連結作業が極めて作業しやすくなる。
【００３５】
さらに、図１１に示すような補強も可能である。つまり、上下各２本の小面固定用パイプ２１および大面固定用パイプ２２に加えて、約１ｍ程度の補強用パイプ２３を締付金具３５により下方に固定し、本実施形態の型枠角開き止めパイプ連結金具１によって各補強用パイプ２３を連結すれば、極めて強固に型枠３の角部を締め付けることができ確実に開き止めを行うことができる。
【００３６】
以上のような本実施形態によれば、
１．熟練者でなくても型枠用パイプ２の連結作業を迅速かつ簡単に行うことができ、型枠３の角開きを効果的に防止することができる。
２．型枠用パイプ２は型枠３の角部からほとんど突出させる必要がないため、作業スペース等を充分に確保することができて作業者の安全性を向上することができるし、パイプコストや設置スペースの低減を図ることもできる。
３．大面クランプ１２が第１位置と第２位置との方向転換が可能であるため、左右上下いずれの位置にある角部（右勝手および左勝手）に対しても適用することができ、すべての角部に対応することができる。
４．各クランプ１１，１２のフランジナット１１４，１２４が、基板１３に対し同一方向に配置されるため、高所に配置された型枠用パイプ２の連結作業および低所に配置された型枠用パイプ２の締め付け作業に合わせて各クランプ１１，１２の向きを変更できるため簡単に角締め作業を行うことができる。
５．取り付け時には容易に位置決めすることができ、取り付けた後は、連結状態の安定性を向上させることができる。
６．基板１３に必要な強度を保持させながら、コンパクト化することができる。
等の効果を奏することができる。
【００３７】
なお、本発明に係る型枠の角開き止めパイプ連結金具１、型枠固定構造および型枠固定方法は、前述した実施形態に限定されるものではなく、適宜変更することができる。
【００３８】
例えば、上述した実施形態では、大面クランプ１２を基板１３に対して１８０度方向転換可能に設けることで、左右対称位置にある型枠３の角部の双方において使用可能な構成としている。しかしながら、これに限られるものではなく、小面クランプ１１および大面クランプ１２の双方を基板１３に対して固定し、図１２および図１３に示すように、左角部用の角開き止めパイプ連結金具４と、右角部用の角開き止めパイプ連結金具５の２種類を使い分ければよい。
【００３９】
また、上述した実施形態では、大面クランプ１２の第１位置および第２位置の方向転換構造は、本体金具１２１を軸部材１４に対して回転自在に連結することによって実現しているが、例えば、大面クランプ１２を着脱自在にして、第１位置および第２位置に方向転換する構成にしてもよい。
【図面の簡単な説明】
【００４０】
【図１】本発明に係る型枠の角開き止めパイプ連結金具の実施形態を示す斜視図である。
【図２】本実施形態の型枠の角開き止めパイプ連結金具を示す正面図である。
【図３】図２の平面図である。
【図４】図３における４Ａ−４Ａ線の矢視図である。
【図５】本実施形態の型枠の角開き止めパイプ連結金具を用いて型枠用パイプを連結した型枠を示す平面図である。
【図６】本実施形態の型枠の角開き止めパイプ連結金具において、大面クランプが第２位置に配置された状態を示す斜視図である。
【図７】図５の矢印７Ａから見た正面図である。
【図８】図２の右側面図である。
【図９】図２の左側面図である。
【図１０】本実施形態において、フランジナットが下方を向くように型枠の角開き止めパイプ連結金具を取り付けた状態を示す平面図である。
【図１１】本実施形態における型枠の他の実施形態を示す斜視図である。
【図１２】本発明に係る型枠の角開き止めパイプ連結金具の他の実施形態を示す斜視図である。
【図１３】本発明に係る型枠の角開き止めパイプ連結金具の他の実施形態を示す斜視図である。
【図１４】従来技術によって型枠の角部を締め付けた状態を示す平面図である。
【符号の説明】
【００４１】
１  型枠の角開き止めパイプ連結金具
２  型枠用パイプ
３  型枠
４  左角部用の角開き止めパイプ連結金具
５  右角部用の角開き止めパイプ連結金具
１１  小面クランプ
１１ａ  内周狭持面
１２  大面クランプ
１２ａ  内周狭持面
１３  基板
１４  軸部材
２１  小面固定用パイプ
２２  大面固定用パイプ
２３  補強用パイプ
３１  小面堰板
３２  大面堰板
３３  セパレータ
３４  桟木
３５  締付金具
６１  堰板
６２  パイプ
６３  チェーン
６４  ターンバックル
１１１，１２１  本体金具
１１２，１２２  開閉金具
１１２ａ，１２２ａ  遊嵌凹部
１１３，１２３  回動ボルト
１１４，１２４  フランジナット
１１５，１２５  回転軸
１３１  肉厚部
Ｆ１  小面クランプの内周狭持面における大面クランプ側の端面
Ｆ２  大面クランプにおける小面クランプ側の側端面
Ｆ３  小面クランプにおける本体金具の桟木側の側端面
Ｆ４  大面クランプにおける本体金具の内周狭持面の桟木側の端面